(57)【要約】      （修正有）【課題】機器本体が停止状態であっても独自機能で動作させる事ができるので、機器本体が本来必要とする機能以外にも、人感センサーやＣＯセンサー等の各種センサーの特性を活かした別用途での利用も可能となる操作パネルの提供。【解決手段】機器本体が停止状態であってもセンサー機能を活かすため、機器本体をコントロールする基板だけでなく、操作パネル側の基板にもマイコンを搭載し、各種センサーの信号処理をできるようにした。さらに操作パネルにオプションとなる外部接続機器への出力端子を設け、新たな機能を追加できるようにした。【選択図】図１
0003136714.tif 000002
【実用新案登録請求の範囲】
【請求項１】
人感センサーやＣＯセンサー等のような高機能なセンサーを１つまたは複数を組み合わせて使用する石油燃焼機器であり、機器本体の制御を行うマイコンを中心に構成されたコントロール基板による制御手段と、スイッチと表示器で構成された操作基板による操作手段とに分かれた機器において、該操作手段側にもマイコンを搭載しセンサー信号を処理出来るようにし、人感センサーやＣＯセンサー等のような高機能な各種センサーを、該操作手段側に取り付ける事を特徴とするセンサー機能付き操作パネル。
【請求項２】
請求項１に記載の操作手段には、マイコンが搭載されセンサーが取り付けられているので、本来の機器本体の運転操作を行うだけでなく、該機器本体が運転停止により操作の必要が無い時には、例えば人感センサーの特性を活かし安否確認や防犯等、あるいはＣＯセンサーの特性を活かしガス漏れ警報等、該機器本体の機能とは別の機能を容易に構築する事ができるので、機器本体が持つ機能とは別の機能で動作させる事を特徴とするセンサー機能付き操作パネル。
【請求項３】
請求項２に記載のセンサー機能付き操作パネルは、マイコン非搭載である操作パネルと同一形状とする事によりパネルの置き換えが可能となり、センサー機能を追加した新機能を古い機器本体であってもコントロール基板側の改造をする必要が無く、操作パネルを交換するだけで新しい機器本体と同じ機能を持たせる事ができる事を特徴とするセンサー機能付き操作パネル。
【請求項４】
請求項２に記載のセンサー機能付き操作パネルは、接点または無線通信により外部とのリンクが可能であり、オプションとなる外部接続機器を取り付ける事により新たな機能が追加できる事を特徴とするセンサー機能付き操作パネル。
【考案の詳細な説明】
【技術分野】
【０００１】
本考案は、家庭用電化製品でもある石油燃焼機器等の操作パネルに関するものである。
【背景技術】
【０００２】
人がいる事を検知する人感センサーを利用して制御を行う家電製品が有る。例えばエアコンやファンヒータ等でる。
【０００３】
またファンヒータの中には、本来の機能とは別に人感センサーの特性を活かし簡単なセキュリティー機能を持った物も有る。
【０００４】
ただしこれらの制御や機能は、機器本体を制御するマイコン、すなわちコントロール基板１枚で処理されており、センサ−機能を操作パネル単独で活用し動作させる事ができないという欠点がある。
【考案の開示】
【考案が解決しようとする課題】
【０００５】
解決しようとする問題点は、操作パネルを単独で活用し動作させる事ができない点である。
【課題を解決するための手段】
【０００６】
本考案は、操作パネル側にもマイコンを搭載し、人感センサーやＣＯセンサー等の各種センサーを接続する事を可能とする事を最も主要な特徴とする。
【考案の効果】
【０００７】
本考案の操作パネルは、機器本体が停止状態であっても独自機能で動作させる事ができるので、機器本体が本来必要とする機能以外にも、人感センサーやＣＯセンサー等の各種センサーの特性を活かした別用途での利用も可能となる。
【０００８】
またオプションとなる外部接続機器を接続する事により、新たな機能を簡単に追加する事もできる。
【考案を実施するための最良の形態】
【０００９】
従来のマイコン非搭載の操作パネルと同一形状とする事により、操作パネルを交換するだけで、本来の機器本体が持つ機能に新たな機能を追加するという目的を最小の部品点数で実現した。
【実施例１】
【００１０】
図１は、本考案装置の１実施例であって、１は機器本体、２は操作パネル、３は人感センサー、４はＣＯセンサー、５は端子、６は無線通信装置、７はコントロール基板、８は外部接続機器、９は固定電話機である。
【００１１】
機器本体１は、家庭用電化製品でもある石油燃焼機器である。
【００１２】
操作パネル２は、該機器本体１の操作をするためのスイッチや表示器が並んだパネルであるが、マイコンを搭載する事により人感センサーやＣＯセンサー等の高機能なセンサーを直接接続する事が可能であり、各センサーの特性を活かした機能を機器本体の操作や動作と切り離して持たせる事が可能となっている。
【００１３】
人感センサー３は、人の存在を検知するセンサーであり、通常運転では該機器本体１の運転制御に利用される。
【００１４】
ＣＯセンサー４は、燃焼装置の不完全燃焼を監視するセンサーであり、通常運転では一定量のＣＯ濃度となった際に該機器本体１の運転を停止させるために利用される。
【００１５】
端子５は、電圧または無電圧の信号にて外部接続機器８に動作信号を送る端子である。
【００１６】
無線通信装置６は、無線により外部接続機器８に動作信号を送る装置である。
【００１７】
なお実施例では、該端子５と該無線通信装置６は、外部接続機器８に信号を出力するだけであるが、外部接続機器８と双方向のデータ送受信が行えるようにしても良い。
【００１８】
コントロール基板７は、該機器本体１の動作を制御する回路基板であり、制御プログラムが書き込まれたマイコンを中心に電子回路で構成されている。
【００１９】
外部接続機器８は、固定電話機９と組み合わせて使用され、該端子５や該無線通信装置６からの信号を受けると、予め設定された電話番号の所に自動的に電話をし、予め録音されたメッセージを伝えたり、データ通信を行う。
【００２０】
該操作パネル２にもマイコンを搭載する事により、該コントロール基板７のマイコンに頼る必要のない独立した操作パネルとする事ができ、該操作パネル２の形状を従来の物と同じ形状とすれば、簡単に新旧操作パネルの置き換えができる。
【００２１】
また該操作パネル２側に該人感センサー３や該ＣＯセンサー４等の各種センサーを接続し、さらに該外部接続機器８のようなオプション装置等を接続すれば、従来の該機器本体１が持つ機能に、さらに新たな機能を追加したり別の機能を持たせる事ができる。
【００２２】
例えば通常運転にて人の有無を検知して、該機器本体１の温度制御をする該人感センサー３には、該機器本体１が停止状態であるとき、該人感センサー３の人検知機能を活かしてセキュリティー機能を持たせる事ができる。
【００２３】
このセキュリティー機能は、該操作パネル２とオプション装置である外部接続機器８と該固定電話機９とを組み合わせて実現できる。
【００２４】
さらに該操作パネル２に搭載されたマイコンの動作設定により異なるセキュリティー機能を持たせる事もできる。
【００２５】
ある一定時間が経過しても人を検知しないときに該外部接続機器８に信号を送れば、安否確認の介護関連の装置となり、逆に人を検知したとき即該外部接続機器８に信号を送れば不審者進入の通報ができ防犯関連の装置となる。
【００２６】
該ＣＯセンサー４は、通常ＣＯセンサーが取り付けられた燃焼装置の不完全燃焼を監視し、異常時に燃焼装置の運転を停止させる用途に使用されるが、該操作パネル２側のマイコンに該ＣＯセンサー４を接続する事により、該装置本体１が停止状態つまり該コントロール基板７に電気が通じていない状態であっても、該操作パネル２を単独で動作させる事によりＣＯ濃度の監視によるガス漏れ警報機としての機能を持たせる事ができ、さらに該外部接続機器８に信号を送れば、該固定電話機９により電話回線を介して外部への緊急連絡も可能となる。
【００２７】
なおセキュリティー以外にも、該機器本体１の現在の状況を外部へ通知する事が可能であり、例えば燃料の残量表示を例にすると、燃料の残りが少なくなって来た時点で該外部接続機器８に信号を送り、燃料の残りが少なくなって来た事を、該固定電話機９により電話回線を介して外部へ通知をするようにしても良い。
【産業上の利用可能性】
【００２８】
既に過去に販売済みとなった装置本体であっても、そのコントロール基板には変更を加える事無く、古い操作パネルを新しい操作パネルと交換するだけで最新の新機能を組み込む用途にも適用できる。
【図面の簡単な説明】
【００２９】
【図１】マイコン搭載型操作パネルの実施方法を示した説明図である。（実施例１）
【符号の説明】
【００３０】
１    機器本体
２    操作パネル
３    人感センサー
４    ＣＯセンサー
５    端子
６    無線通信装置
７    コントロール基板
８    外部接続機器
９    固定電話機
【図１】
0003136714.tif 000003
【手続補正書】
【提出日】平成19年8月17日(2007.8.17)
【手続補正１】
【補正対象書類名】実用新案登録請求の範囲
【補正対象項目名】全文
【補正方法】変更
【補正の内容】
【実用新案登録請求の範囲】
【請求項１】
燃焼制御を主たる目的とするマイコンを搭載した制御基板と、機器の運転操作を目的とする単にスイッチとＬＥＤやＬＣＤを搭載しただけの操作基板とに分かれた石油燃焼機器において、操作基板側にも小規模なマイコンを搭載して人感センサーやＣＯセンサー等の高機能なセンサーからの信号を処理できるようにし、該操作基板を操作パネルに組込み、該操作パネル側に人感センサーやＣＯセンサー等の高機能なセンサーを直接接続できるようにした事を特徴とするセンサー機能付き操作パネル。
【請求項２】
請求項１に記載の操作パネルは、石油燃焼機器の運転操作を行うだけでなく、該石油燃焼機器が運転停止状態で操作の必要が無い時に、例えば人感センサーの特性を活かした防犯や安否確認等、あるいはＣＯセンサーの特性を活かしたガス漏れ警報等、本来の石油燃焼機器が必要とする機能以外に、別の機能で動作させる事を特徴とする請求項１に記載のセンサー機能付き操作パネル。
【請求項３】
請求項２に記載のセンサー機能付き操作パネルは、マイコン非搭載である操作パネルと同一形状とする事によりパネルの置き換えが可能となり、古いタイプの石油燃焼機器であっても操作パネルを交換するだけでマイコンを搭載した新しいタイプの操作パネルに変更でき、高機能なセンサーの特性を活かした新しい機能を簡単に追加し組込む事ができる事を特徴とする請求項１に記載のセンサー機能付き操作パネル。
【請求項４】
請求項２に記載のセンサー機能付き操作パネルは、接点または有線や無線のデータ通信により、オプション装置となる外部接続機器との接続が可能である事を特徴とする請求項１に記載のセンサー機能付き操作パネル。
【手続補正２】
【補正対象書類名】明細書
【補正対象項目名】全文
【補正方法】変更
【補正の内容】
【考案の詳細な説明】
【技術分野】
【０００１】
本考案は、家庭用電化製品でもある石油燃焼機器等の操作パネルに関するものである。
【背景技術】
【０００２】
人がいる事を検知する人感センサーを利用して、機器制御を行う家電製品が有る。例えばエアコンやファンヒータ等でる。
【０００３】
またファンヒータの中には、本来の機能とは別に人感センサーの特性を活かして、簡単なセキュリティー機能を持った物も有る。
【０００４】
しかし前記機器制御や前記セキュリティー機能を実施したり活用したりするためには、マイコンによる処理が必要であり、該マイコンが搭載された基板、即ち制御基板側に各種センサーが取りつけられ、この制御基板１枚でセンサー信号の処理を含め機器の運転に必要な処理が行われている。このためマイコンを搭載しない基板、即ち操作基板１枚では何も処理できず、該操作基板を組込んだ操作パネルは、単独で活用し動作をさせる事が不可能という欠点がある。
【考案の開示】
【考案が解決しようとする課題】
【０００５】
解決しようとする問題点は、操作パネルを単独で活用し動作させる事が不可能という点である。
【課題を解決するための手段】
【０００６】
本考案は、操作パネル内に組込まれる操作基板にも制御基板より小規模で良いのでマイコンを搭載し、人感センサーやＣＯセンサー等の高機能な各種センサーの信号を処理できるようにし、該操作パネル側に高機能な各種センサーを直接接続できるようにした事を最も主要な特徴とする。
【考案の効果】
【０００７】
本考案の操作パネルは、機器本体が停止状態で制御基板の主たるマイコンが停止状態であっても、操作パネル側の操作基板に搭載した副たるマイコンを動作させる事により、機器本体が停止状態であっても、該操作パネルを単独で動作させる事ができるので、機器本体の操作に縛られる事無く人感センサーやＣＯセンサー等の高機能な各種センサーの特性を活かした別用途での利用が可能である。
【０００８】
またオプションとなる外部接続機器を接続する事により、新たな機能を簡単に追加する事もできる。
【考案を実施するための最良の形態】
【０００９】
マイコンを搭載した新しい操作パネルの形状を、従来のマイコン非搭載の操作パネルと同一形状とする事により操作パネルの交換が可能となり、従来の機器本体が持つ機能にさらに新しい機能を追加するという目的を最小の部品点数で実現した。
【実施例１】
【００１０】
図１は、本考案装置の１実施例であって、１は機器本体、２は操作パネル、３は人感センサー、４はＣＯセンサー、５は端子、６は無線通信装置、７は制御基板、８は外部接続機器、９は固定電話回線である。
【００１１】
機器本体１は、家庭用電化製品でもある石油燃焼機器であり、例えばファンヒーター等である。
【００１２】
操作パネル２は、前記機器本体１の操作をするためのスイッチや表示器が並んだパネルであるが、該操作パネル２の中に組込む基板、すなわち操作基板にマイコンを搭載する事により、人感センサー３やＣＯセンサー４等の高機能なセンサーからの信号を処理する事が可能となり、該高機能なセンサーを直接、該操作パネル２に接続する事ができる事により、センサーの特性を活かした機能を前記機器本体１の操作や動作と切り離して活用する事が可能となっている。
【００１３】
前記人感センサー３は、人の存在を検知するセンサーであり、通常運転では前記機器本体１の省エネや効率の良い運転制御に利用される。
【００１４】
前記ＣＯセンサー４は、燃焼装置の不完全燃焼を監視するセンサーであり、通常運転では室内が一定量のＣＯ濃度となった際に前記機器本体１の運転を停止させるために利用される。
【００１５】
端子５は、電圧または無電圧の信号にて、オプション装置となる外部接続機器８に動作信号を送る端子である。
【００１６】
無線通信装置６は、無線通信により前記外部接続機器８に動作信号を送る装置である。
【００１７】
なお実施例では無線通信としたが、無線の替わりに有線通信としても良い。
【００１８】
また実施例で前記端子５と前記無線通信装置６は、前記外部接続機器８に信号を出力するだけであるが、前記操作パネル２と前記外部接続機器８との間で双方向のデータ送受信が行えるようにして信号の入出力としても良い。
【００１９】
制御基板７は、前記機器本体１の動作を制御する回路基板であり、制御プログラムが書き込まれたマイコンを中心に電子回路で構成され、一般的には各種センサーが接続されるが、実施例では、前記操作パネル２に前記人感センサー３や前記ＣＯセンサー４が接続されるため、前記人感センサー３や前記ＣＯセンサー４を動作させるのに必ずしも必要なものではない。
【００２０】
言いかえれば、前記機器本体１が動作していない時には、前記操作パネル２を単独で動作させ、前記人感センサー３や前記ＣＯセンサー４のセンサー特性を活かした全く別な装置として機能させる事ができる。この事については後で詳細説明を行う。
【００２１】
外部接続機器８は、固定電話機９と組み合わせて使用され、前記端子５や前記無線通信装置６からの信号を受けると、予め設定された電話番号の所に自動的に電話をし、予め録音されたメッセージを伝えたりデータ通信を行う。
【００２２】
前記操作パネル２は、前記制御基板７に搭載されたマイコンに頼ることなく単独で前記人感センサー３や前記ＣＯセンサー４等の高機能センサーの信号処理を行えるので、前期操作パネル２の形状を、従来から有るマイコン非搭載の旧タイプの操作パネルと同じ形状とする事により簡単に新旧操作パネルの置き換えができる。
【００２３】
次に機器本体１が持つ機能を操作するのではなく、全く別な装置として前記操作パネル２を機能させる方法について述べる。
【００２４】
通常運転にて人の有無を検知して前記機器本体１の運転制御をする前記人感センサー３は、前記機器本体１が停止状態であるとき、前記人感センサー３の人検知機能を活かして前記操作パネル２にセキュリティー機能を持たせる事ができる。該セキュリティー機能は、前記操作パネル２と前記外部接続機器８と前記固定電話回線９とを組み合わせて実現できる。
【００２５】
セキュリティー機能としては防犯と安否確認が考えられるが、防犯では、前記人感センサー３が人の存在を検知すると、前記操作パネル２よりオプション接続となる前記外部接続機器８に信号が出力され、前記外部接続機器８は信号を受けると予め設定した電話番号の所に前記固定電話回線９を介して電話を掛け、予め録音されたメッセージを伝えたりデータ通信を行い不審者進入通報の防犯関連の装置となる。
【００２６】
また安否確認では、前記人感センサー３がある一定時間が経過しても人の存在を検知しない場合に、前記操作パネル２よりオプション接続となる前記外部接続機器８に信号が出力され、前記外部接続機器８は信号を受けると予め設定した電話番号の所に前記固定電話回線９を介して電話を掛け、予め録音されたメッセージを伝えたりデータ通信を行い安否通報の介護関連の装置となる。
【００２７】
通常運転にてＣＯ濃度を監視して燃焼機器の不完全燃焼を検知すると前記機器本体１の運転を停止させる前記ＣＯセンサー４は、前記機器本体１が停止状態であるとき、前記ＣＯセンサー４のＣＯ濃度検知機能を活かして前記操作パネル２にガス漏れ警報機能を持たせる事ができる。
【００２８】
前記ガス漏れ警報機能は、前記操作パネル２を単独で動作させる簡易的な方法と、前記操作パネル２と前記外部接続機器８と前記固定電話回線９とを組み合わせ遠隔地に通報する方法とが有る。
【００２９】
簡易的な方法では、前記ＣＯセンサー４がガス漏れを検知すると、前記操作パネル２内に組込まれたアラームブザーが鳴り、周囲に異常を知らせるガス漏れ警報装置となる。
【００３０】
遠隔地に通報する方法では、前記ＣＯセンサー４がガス漏れを検知すると、前記操作パネル２よりオプション接続となる前記外部接続機器８に信号が出力され、前記外部接続機器８は信号を受けると予め設定した電話番号の所に前記固定電話回線９を介して電話を掛け、予め録音されたメッセージを伝えたりデータ通信を行いガス漏れ通報の警報関連の装置となる。
【００３１】
なお遠隔地に通報する用途としては、前記セキュリティー機能や前記ガス漏れ検知機能以外にも、前記燃焼機器等の燃料の残量が少なくなって来た時に外部へ自動的に電話を掛け知らせる燃料残量警告機能等、その他いろいろな用途への展開が考えられる。
【産業上の利用可能性】
【００３２】
既に過去に販売済みとなった機器本体であっても、主たるマイコンが搭載された制御基板に変更を加える事無く、古い操作パネルをマイコン搭載型の新しい操作パネルに交換するだけで最新の新機能を組込んだ機器本体にする用途にも適用できる。
【図面の簡単な説明】
【００３３】
【図１】マイコン搭載型操作パネルの実施方法を示した説明図である。（実施例１）
【符号の説明】
【００３４】
１    機器本体
２    操作パネル
３    人感センサー
４    ＣＯセンサー
５    端子
６    無線通信装置
７    制御基板
８    外部接続機器
９    固定電話回線